(57)【要約】【課題】ユーザにとって、半導体記憶媒体に記憶されたコンテンツデータが把握しやすく、簡単な構造の半導体記憶媒体を製造する記憶媒体製造方法を提供すること、半導体記憶媒体に記憶されたコンテンツデータに関する詳細な情報を、より簡単にユーザに提供することができる情報処理システムを提供すること。【解決手段】本発明に係る記憶媒体製造方法は、コンテンツデータを半導体記憶媒体に書き込む第１のステップと、前記コンテンツデータに関連する画像をシートに印刷する第２のステップと、記憶媒体保護具の第１のスペースに前記第１のステップで得た前記半導体記憶媒体を収容し、前記記憶媒体保護具の第２のスペースに外側から前記画像が見えるように、前記シートを収容する第３のステップとを有する。【選択図】  図６
2008210271.tif 000002
【特許請求の範囲】
【請求項１】
コンテンツデータを半導体記憶媒体に書き込む第１のステップと、
前記コンテンツデータに関連する画像をシートに印刷する第２のステップと、
記憶媒体保護具の第１のスペースに前記第１のステップで得た前記半導体記憶媒体を収容し、前記記憶媒体保護具の第２のスペースに外側から前記画像が見えるように、前記シートを収容する第３のステップと
を有する記憶媒体製造方法。
【請求項２】
半導体記憶媒体を収容する第１の筐体と、前記第１の筐体を収容する第１のスペース、および前記半導体記憶媒体に記憶されたコンテンツデータに関連する画像を印刷したシートを収容する第２のスペースを備える第２の筐体とを有する記憶媒体保護具と、
前記半導体記憶媒体に記憶されたコンテンツデータに関する情報を表示する情報処理装置と
を有する情報処理システムであって、
前記記憶媒体保護具は、前記第２の筐体の前記第２のスペースを形成する一面が、前記第２のスペースに収容された前記シートの印刷面が外側から見えるように透明性を備え、
前記情報処理装置は、前記シートに印刷された画像を読み取る読取部と、
前記読取部により読み取られた画像に応じた、前記半導体記憶媒体に記憶されているコンテンツデータに関する情報を表示する表示部とを備えることを特徴とする
情報処理システム。
【請求項３】
前記シートに印刷された画像は、前記半導体記憶媒体に記憶されたコンテンツデータに関する情報の、通信ネットワーク上のアドレスに対応した画像パターンであり、
前記表示部は、前記アドレスに基づいて前記通信ネットワークを介して取得した、前記コンテンツデータに関する情報を表示することを特徴とする
請求項２に記載の情報処理システム。
【請求項４】
前記情報処理装置は、前記半導体記憶媒体に記憶されたコンテンツデータに関する、通信ネットワーク上のアドレスを読み取るインタフェースと、
前記インタフェースを介して読み取ったアドレスに基づいて、前記通信ネットワークを介して前記コンテンツデータをダウンロードする制御部とを有することを特徴とする
請求項２に記載の情報処理システム。
【発明の詳細な説明】
【技術分野】
【０００１】
本発明は、記憶媒体製造方法、および情報処理システムに関する。
【背景技術】
【０００２】
例えば、音楽データ等のコンテンツデータを記憶媒体に記憶させ、その記憶媒体を装着してコンテンツデータを再生可能な装置が知られている（例えば、特許文献１参照）。
【０００３】
【特許文献１】特開２００２−２８１０１４号公報
【発明の開示】
【発明が解決しようとする課題】
【０００４】
しかし、例えばアイドルやタレント等の画像データや音楽データ等のコンテンツデータが記憶された記憶媒体を店頭等で販売する場合、例えば、単純に記憶媒体を並べて販売したとしても、ユーザはその記憶媒体に何が記憶されているのか簡単に把握することが困難である。
また、小型の半導体記憶媒体にコンテンツデータを記憶させて販売する場合、例えば小型の半導体記憶媒体の筐体表面にコンテンツデータに関する情報を印刷したとしても、ユーザにとってその印刷された情報は見づらく、簡単に把握することが困難である。
また、上記小型の半導体記憶媒体の筐体表面に、情報を印刷するために特殊な印刷装置を要する。
また、半導体記憶媒体を単純に保護具に収容して販売した場合、半導体記憶媒体の筐体に印刷された情報が保護具により隠れてしまい、ユーザにとって印刷された情報を把握することが困難である。
【０００５】
また、小型の半導体記憶媒体に記憶されたコンテンツデータに関する詳細な情報を、より簡単にユーザに提供するシステムが望まれている。
【０００６】
本発明は上述した従来技術の問題点を解決するために、ユーザにとって、半導体記憶媒体に記憶されたコンテンツデータが把握しやすく、簡単な構造の半導体記憶媒体を製造する記憶媒体製造方法を提供すること、半導体記憶媒体に記憶されたコンテンツデータに関する詳細な情報を、より簡単にユーザに提供することができる情報処理システムを提供すること、等を提供することを目的とする。
【課題を解決するための手段】
【０００７】
上述した従来技術の問題点を解決し、上述した目的を達成するため、請求項１の発明に係る記憶媒体製造方法は、コンテンツデータを半導体記憶媒体に書き込む第１のステップと、前記コンテンツデータに関連する画像をシートに印刷する第２のステップと、記憶媒体保護具の第１のスペースに前記第１のステップで得た前記半導体記憶媒体を収容し、前記記憶媒体保護具の第２のスペースに外側から前記画像が見えるように、前記シートを収容する第３のステップとを有する。
【０００８】
このように、請求項１の発明に係る記憶媒体製造方法では、先ず、コンテンツデータを半導体記憶媒体に書き込み、次に、コンテンツデータに関連する画像をシートに印刷し、そして、記憶媒体保護具の第１のスペースに半導体記憶媒体を収容し、記憶媒体保護具の第２のスペースに外側からその画像が見えるように、シートを収容することで、シートと共に記憶媒体保護具内に収容された記憶媒体を簡単に製造することができる。
ユーザは、上記記憶媒体保護具にシートおよび半導体記憶媒体が収容された状態で、この記憶媒体保護具の外側から、シートに印刷された画像を見ることにより、半導体記憶媒体に記憶されたコンテンツデータに関する情報を、簡単に把握することができる。
【０００９】
また、請求項２の発明に係る情報処理システムは、半導体記憶媒体を収容する第１の筐体と、前記第１の筐体を収容する第１のスペース、および前記半導体記憶媒体に記憶されたコンテンツデータに関連する画像を印刷したシートを収容する第２のスペースを備える第２の筐体とを有する記憶媒体保護具と、前記半導体記憶媒体に記憶されたコンテンツデータに関する情報を表示する情報処理装置とを有する情報処理システムであって、前記記憶媒体保護具は、前記第２の筐体の前記第２のスペースを形成する一面が、前記第２のスペースに収容された前記シートの印刷面が外側から見えるように透明性を備え、前記情報処理装置は、前記シートに印刷された画像を読み取る読取部と、前記読取部により読み取られた画像に応じた、前記半導体記憶媒体に記憶されているコンテンツデータに関する情報を表示する表示部とを備えることを特徴とする。
【００１０】
このように、請求項２の発明に係る情報処理システムでは、情報処理装置の読取部が、記憶媒体保護具に収容されたシートに印刷された画像を読み取り、表示部が、読取部により読み取られた画像に基づいて、半導体記憶媒体に記憶されているコンテンツデータに関する情報を表示するので、半導体記憶媒体に記憶されたコンテンツデータに関する詳細な情報を、より簡単にユーザに提供することができる。
【００１１】
また、請求項３の発明は、請求項２の発明に係る情報処理システムにおいて、前記シートに印刷された画像が、前記半導体記憶媒体に記憶されたコンテンツデータに関する情報の、通信ネットワーク上のアドレスに対応した画像パターンであり、前記表示部は、前記アドレスに基づいて前記通信ネットワークを介して取得した、前記コンテンツデータに関する情報を表示することを特徴とする。
【００１２】
このように、請求項３の発明に係る情報処理システムでは、情報処理装置の表示部が、前記アドレスに基づいて前記通信ネットワークを介して取得した、前記コンテンツデータに関する情報を表示するので、半導体記憶媒体に記憶されたコンテンツデータに関する情報を簡単に表示を行うことで、ユーザにそのコンテンツデータに関する情報を簡単に提供することができる。
【００１３】
また、請求項４の発明は、請求項２の発明に係る情報処理システムにおいて、前記情報処理装置が、前記半導体記憶媒体に記憶されたコンテンツデータに関する、通信ネットワーク上のアドレスを読み取るインタフェースと、前記インタフェースを介して読み取ったアドレスに基づいて、前記通信ネットワークを介して前記コンテンツデータをダウンロードする制御部とを有することを特徴とする。
このように、請求項４の発明に係る情報処理システムでは、情報処理装置が、半導体記憶媒体に記憶されたコンテンツデータに関する、通信ネットワーク上のアドレスを読み取り、そのアドレスに基づいて通信ネットワークを介してコンテンツデータをダウンロードすることができるので、ユーザに通信ネットワーク上のコンテンツデータを簡単に提供することができる。
【発明の効果】
【００１４】
本発明によれば、ユーザにとって、半導体記憶媒体に記憶されたコンテンツデータが把握しやすく、簡単な構造の半導体記憶媒体を製造する記憶媒体製造方法を提供することができる。また、半導体記憶媒体に記憶されたコンテンツデータに関する詳細な情報を、より簡単にユーザに提供することができる情報処理システムを提供することができる。
【発明を実施するための最良の形態】
【００１５】
以下、本発明の実施形態に係る半導体記憶媒体を収容した記憶媒体保護具を採用した情報処理システムを、図面を参照しながら説明する。
［本発明の構成との対応関係］
先ず、本実施形態の構成要素と、本発明の構成要素との対応関係を説明する。
図１に示す半導体記憶媒体２は、本発明に係る半導体記憶媒体の一実施形態に沿うとする。筐体２１は、本発明に係る第１の筐体の一実施形態に相当する。
図１に示す記憶媒体保護具１は、本発明に係る記憶媒体保護具の一実施形態に相当する。図１，図４に示す第１のスペース１１１は本発明に係る第１のスペースの一実施形態に相当し、第２のスペース１１２は本発明に係る第２のスペースの一実施形態に相当する。
図１に示すシート３は、本発明に係るシートの一実施形態に相当する。
図２に示す情報処理システム１００は、本発明に係る情報処理システムの一実施形態に相当する。図２に示す情報処理装置４は、本発明に係る情報処理装置の一実施形態に相当する。
【００１６】
以下、本発明に係る各構成要素を図面を参照しながら詳細に説明する。
【００１７】
図１は、本発明の一実施形態に係る半導体記憶媒体を収容した記憶媒体記憶媒体保護具を説明するための図である。詳細には、図１（Ａ）は半導体記憶媒体およびシートが記憶媒体保護具に収容される前の状態を示す斜視図であり、図１（Ｂ）は半導体記憶媒体及びシートが収容された記憶媒体保護具を説明するための斜視図である。
図２は、本発明の一実施形態に係る情報処理システムを説明するための構成図である。
図３は、図１に示した記憶媒体保護具に収容される半導体記憶媒体を説明するための図である。詳細には図３（Ａ）は半導体記憶媒体の正面図であり、図３（Ｂ）は図３（Ａ）に示した半導体記憶媒体の背面図である。
【００１８】
図１，３に示すように、記憶媒体保護具１は、筐体２１と、筐体１１，１２と、シート３を有する。
【００１９】
筐体２１には半導体記憶媒体２が収容されている。この半導体記憶媒体２を収容した筐体２１は、例えば図２に示すように、情報処理装置４に着脱可能に形成されている。
半導体記憶媒体２を収容した筐体２１は、例えば図３（Ａ），図３（Ｂ）に示すように、規定の角部に切り欠け部が形成されており、裏面には複数の端子部２２が形成されている。
また、半導体記憶媒体２は、情報処理装置４に装着された状態で、端子部２２を介して、記憶しているコンテンツデータ等のデータを情報処理装置４に送信することができる。また、半導体記憶媒体２は、情報処理装置４に装着された状態で、端子部２２を介して、情報処理装置４から受信したデータを記憶することができる。
【００２０】
図１に示すように、記憶媒体保護具１の筐体１１には、凹部が形成されている。この凹部には、半導体記憶媒体２を収容した筐体２１、およびシート３を収容可能である。
図４は、図１に示した記憶媒体保護具１、半導体記憶媒体２、およびシート３の正面図である。図５は、図４に示した半導体記憶媒体およびシートを収容した記憶媒体保護具の正面図である。
【００２１】
図４に示すように、筐体１１の凹部には、筐体１１を収容する第１のスペース１１１、および半導体記憶媒体２に記憶されたコンテンツデータに関連する画像を印刷したシート３を収容する第２のスペース１１２を有する。
コンテンツデータは、例えば画像データ、音楽データ、文字データ等である。
本実施形態に係るコンテンツデータは、例えば写真集のデータであり、シート３には、写真集に用いられている一つの写真の画像が印刷されている。
【００２２】
本実施形態に係る筐体１１には、図４に示すように、筐体２１の形状に対応した凸形状の凸部１１３が形成されている。この複数の凸部１１３に囲まれた領域が第１のスペース１１１に相当する。
また、図５に示すように、筐体２１が凸部１１３に嵌合することにより、筐体２１が第１のスペース１１１に位置決めされると共に固定される。
【００２３】
また、本実施形態に係る筐体１１は、筐体１１の一端部が、筐体１２の一端部と屈曲可能に連結されている。この筐体１２は筐体１１に対して蓋として機能する。例えば、図１（Ｂ）に示すように、筐体１１に筐体２１およびシート３を配置した状態で、筐体２１により蓋をすることで、記憶媒体保護具１に筐体２１およびシート３が収容される。
【００２４】
また、記憶媒体保護具１は、筐体１１，１２の第２のスペース１１２を形成する一面が、第２のスペース１１２に収容されたシート３の印刷面が外側から見えるように透明性を備えている。
詳細には、本実施形態に係る記憶媒体保護具１は、図１（Ｂ）に示すように、筐体１２が透明性を有する透過部１２１を有する。また、この形態に限られるものではなく、例えば記憶媒体保護具１は、筐体１１，１２全体が透明性を有してもよい。記憶媒体保護具１は、例えば透明性を有する樹脂やプラスチック等の規定材料により形成されていてもよい。
【００２５】
シート３は、図１，２，４に示すように、半導体記憶媒体２に記憶されたコンテンツデータに関連する画像３１が印刷されている。
本実施形態に係るシート３には、例えば画像３１として、半導体記憶媒体２に記憶されたコンテンツデータに関する情報の、通信ネットワーク上のアドレス（ＵＲＬ：Uniform Resource Locator）に対応した画像パターン３１Ａや、ＵＲＬ等を示す文字情報３１Ｂが印刷されていてもよい。
この画像パターン３１Ａとしては、例えば２次元バーコードや１次元バーコード等を採用することができる。
【００２６】
また、本実施形態に係るシート３には、図４，５に示すように、切欠部３５が形成されており、この切欠部３５が、例えば筐体１１に形成された凸部１１４に係合することにより、シート３が筐体１１の凹部内に位置決めされると共に固定される。
【００２７】
図６は、本発明に係る記憶媒体製造方法を説明するためのフローチャートである。図６を参照しながら記憶媒体製造方法を説明する。
【００２８】
ステップＳＴ１：先ず、コンテンツデータを半導体記憶媒体２に書き込む。詳細には、例えば不図示のコンテンツデータ書込装置により、半導体記憶媒体２に所定のコンテンツデータを書き込む。
【００２９】
ステップＳＴ２：次に、そのコンテンツデータに関連する画像をシート３に印刷する。詳細には、例えば不図示の印刷装置により、コンテンツデータに関連する画像をシート３に印刷する。
【００３０】
ステップＳＴ３：次に、図１（Ａ），図５に示すように、記憶媒体保護具１の第１のスペース１１１に前記第１のステップで得た半導体記憶媒体２の筐体２１を収容し、記憶媒体保護具１の第２のスペース１１２に外側から画像３１が見えるようにシート３を収容して、図１（Ｂ）に示すように筐体１２により蓋をする。上記組み立て工程は、例えば不図示の組立装置により行う。
また、上記コンテンツデータ書込装置、印刷装置、組立装置は、不図示の制御部により制御される。
【００３１】
以上の製造方法により、本発明に係る半導体記憶媒体２が収容された記憶媒体保護具１を簡単に製造することができる。
【００３２】
次に、図２に示す情報処理システム１００の構成を詳細に説明する。
図２に示すように、情報処理システム１００は、記憶媒体保護具１、情報処理装置４を有する。情報処理装置４としては、例えば携帯電話、携帯型情報端末、ＰＤＡ（Personal Digital Assistant）、携帯型表示装置などを採用することができる。
【００３３】
本実施形態に係る情報処理装置４は、図２に示すように、通信ネットワーク６を介してサーバ（情報提供装置）５にデータの送受信可能な携帯電話である。通信ネットワーク６は、例えばインターネット等のコンピュータネットワークである。サーバ５は例えばコンテンツデータに係る情報やコンテンツデータを要求に応じて提供する。これらのデータは、例えば規定のＵＲＬに対応付けられている。
【００３４】
図２に示すように、情報処理装置４は、インタフェース（Ｉ／Ｆ）４１、読取部４２、音声入出力部４３、操作入力部４４、表示部４５、通信部４６、メモリ４７、および制御部４８を有する。各構成要素は制御部４８に接続されている。
【００３５】
Ｉ／Ｆ４１は、例えば制御部４８の制御により、装着された半導体記憶媒体２とデータ送受信を行う。
読取部４２は、例えば不図示の光学系や撮像部を備え、シート３に印刷された画像３１等を撮像して、その撮像結果を制御部４８に出力する。
【００３６】
音声入出力部４３は、例えばマイクロフォンやスピーカ、音声処理回路などにより構成されている。
【００３７】
操作入力部４４は、例えば操作ボタン、操作スイッチ、ポインタ装置、タッチパネルなどにより構成されている。
【００３８】
表示部４５は、例えば液晶モニタ，有機ＥＬ表示装置等の規定の表示装置により構成されている。この表示部４５は、制御部４８の制御により、本発明に関する画像、文字データ、情報等が表示される。
【００３９】
通信部４６は、制御部４８の制御により、通信ネットワーク６を介してサーバ５とデータ通信可能である。
【００４０】
メモリ４７は、例えばＲＡＭ（Random Access Memory)，ＲＯＭ（Read Only Memory）等の半導体メモリや、ＨＤＤ等の記憶装置からなり、本発明に係る機能を実現するためのプログラムやデータ等を記憶する。また、メモリ４７は、制御部４８による作業用領域として機能する。
【００４１】
制御部４８は、上記構成要素を統括的に制御して、本発明に係る機能を実現する。例えばプログラムを実行することにより、本発明に係る機能を実現する。
制御部４８の具体的な機能や動作については、後述する。
【００４２】
［第１具体例］
図７は、図２に示した情報処理システムの第１具体例に係る動作を説明するためのフローチャートである。図７を参照しながら、情報処理システム１００の第１具体例に係る動作を説明する。
【００４３】
ステップＳＴ１１：先ず、情報処理装置４の制御部４８は、読取部４２を制御して、記憶媒体保護具１に収容されたシート３に印刷された画像３１（画像パターン３１Ａ，文字情報３１Ｂ等）を読取部４２により読み取る。
【００４４】
ステップＳＴ１２：次に、表示部４５は、読取部４２により読み取られた画像に応じた、半導体記憶媒体２に記憶されているコンテンツデータに関する情報を表示する。
詳細には、制御部４８は、読取部４２による読み取り結果に基づいて、半導体記憶媒体２に記憶されているコンテンツデータに関する情報を表示部４５表示する処理を行う。
【００４５】
ステップＳＴ１３：この際、例えばシート３に印刷された画像３１が、半導体記憶媒体２に記憶されたコンテンツデータに関する情報の、通信ネットワーク上のアドレス（ＵＲＬ）に対応した画像パターン３１Ａや文字情報３１Ｂの場合には、表示部４５は、そのアドレス（ＵＲＬ）に基づいて通信ネットワーク６を介して取得した、コンテンツデータに関する情報を表示する。詳細には、制御部４８は、読み取り結果に基づいて、コンテンツデータに関連する情報を通信ネットワークを介してダウンロードする。そして、制御部４８は、その情報を表示部４５に表示する処理を行う。
【００４６】
上述したように、表示部４５が、読取部４２により読み取られた画像に基づいて、半導体記憶媒体２に記憶されているコンテンツデータに関する情報を表示するので、半導体記憶媒体２に記憶されたコンテンツデータに関する詳細な情報を、より簡単にユーザに提供することができる。
【００４７】
［第２具体例］
図８は、図２に示した情報処理システムの第２具体例に係る動作を説明するためのフローチャートである。
また、図８を参照しながら、情報処理システム１００の第２具体例に係る動作を説明する。
【００４８】
ステップＳＴ２１：先ず、半導体記憶媒体２に記憶されたコンテンツデータに関するＵＲＬを読み取る。詳細には、制御部４８は、図２に示すように、装着された半導体記憶媒体２からＵＲＬをＩ／Ｆ４１を介して読み出す。
【００４９】
ステップＳＴ２２：次に、制御部４８は、通信部４６を制御して、Ｉ／Ｆ４１を介して読み取ったアドレス（ＵＲＬ）に基づいて、通信ネットワーク６を介してサーバ５からコンテンツデータをダウンロードする。
【００５０】
ステップＳＴ２３：次に、制御部４８は、そのダウンロードしたコンテンツデータを表示部４５に表示する処理を行う。
【００５１】
以上説明したように、情報処理装置４が、半導体記憶媒体２に記憶されたコンテンツデータに関するアドレス（ＵＲＬ）を読み取り、そのアドレスに基づいて通信ネットワーク６を介してコンテンツデータをダウンロードすることができるので、ユーザに通信ネットワーク６上のコンテンツデータを簡単に提供することができる。
【００５２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５３】
例えば、上述した実施形態では、記憶媒体保護具１は、２つの筐体１１、および筐体１２を有するが、この形態に限られるものではない。一つの筐体１１により、本発明に係る機能を実現してもよい。
【００５４】
また、半導体記憶媒体２中に写真集の他に、特典、ポイント、運勢などを示す「くじデータ」を記憶させておき、その半導体記憶媒体２を情報処理装置４に装着した場合に、制御部４８は、表示部４５に「くじデータ」に応じた表示を行ってもよい。
【００５５】
また、例えばシート３として電子ペーパーを採用して、その電子ペーパーに、半導体記憶媒体２に記憶されているコンテンツデータに応じた表示を行ってもよい。
【産業上の利用可能性】
【００５６】
本発明は、例えば、写真集や音楽等のコンテンツデータを記憶した半導体記憶媒体を収容する記憶媒体保護具に適用可能である。
【図面の簡単な説明】
【００５７】
【図１】図１は、本発明の一実施形態に係る半導体記憶媒体を収容した記憶媒体記憶媒体保護具を説明するための図であり、図１（Ａ）は半導体記憶媒体およびシートが記憶媒体保護具に収容される前の状態を示す斜視図であり、図１（Ｂ）は半導体記憶媒体及びシートが収容された記憶媒体保護具を説明するための斜視図である。
【図２】図２は、本発明の一実施形態に係る情報処理システムを説明するための構成図である。
【図３】図３は、図１に示した記憶媒体保護具に収容される半導体記憶媒体を説明するための図であり、図３（Ａ）は半導体記憶媒体の正面図であり、図３（Ｂ）は図３（Ａ）に示した半導体記憶媒体の背面図である。
【図４】図４は、図１に示した記憶媒体保護具１、半導体記憶媒体２、およびシート３の正面図である。
【図５】図５は、図４に示した半導体記憶媒体およびシートを収容した記憶媒体保護具の正面図である。
【図６】図６は、本発明に係る記憶媒体製造方法を説明するためのフローチャートである。
【図７】図７は、図２に示した情報処理システムの第１具体例に係る動作を説明するためのフローチャートである。
【図８】図８は、図２に示した情報処理システムの第２具体例に係る動作を説明するためのフローチャートである。
【符号の説明】
【００５８】
１…記憶媒体保護具、２…半導体記憶媒体、３…シート、４…情報処理装置、５…サーバ、６…通信ネットワーク、１１…筐体、１２…筐体、２１…筐体、２２…端子部、３１…画像、３５…切欠部、４１…インタフェース（Ｉ／Ｆ）、４２…読取部、４３…音声入出力部、４４…操作入力部、４５…表示部、４６…通信部、４７…メモリ、４８…制御部、１１１…第１のスペース、１１２…第２のスペース、１１３，１１４…凸部、１２１…透過部
【図１】
2008210271.tif 000003
【図２】
2008210271.tif 000004
【図３】
2008210271.tif 000005
【図４】
2008210271.tif 000006
【図５】
2008210271.tif 000007
【図６】
2008210271.tif 000008
【図７】
2008210271.tif 000009
【図８】
2008210271.tif 000010